【手続補正書】
【提出日】平成16年3月12日(2004.3.12)
【手続補正１】
【補正対象書類名】明細書
【補正対象項目名】全文
【補正方法】変更
【補正の内容】
【発明の名称】ハンドセット押えを有する電話機
【特許請求の範囲】
【請求項１】電話機本体とハンドセットからなる電話機において、上記電話機本体のハンドセット載置部分の一端部にハンドセット引掛け部分を形成し、且つ他端部にハンドセット押えを取付け、上記ハンドセット引掛け部分とハンドセット押えとで上記ハンドセットを固定することを特徴とするハンドセット押えを有する電話機。
【請求項２】上記ハンドセット引掛け部分は、ハンドセット接続コード側に、ハンドセット載置部分を構成する上ケースの立上り部分によって形成されることを特徴とする請求項１に記載のハンドセット押えを有する電話機。
【請求項３】上記ハンドセット引掛け部分は、ハンドセットを一部抱え込むオーバーハング部を有することを特徴とする請求項１に記載のハンドセット押えを有する電話機。
【請求項４】上記ハンドセット押えは、ハンドセット載置部分の下側に位置する軸部分と、ハンドセットの上方に位置する押え部分と、上記軸部分と押さえを連結するアーム部分とからなり、上記押え部分は上記軸部分を中心に上記アーム部分が回転することによりハンドセットの上方押え位置とハンドセットの外側取り外し位置に移動することを特徴とする請求項１に記載のハンドセット押えを有する電話機。
【請求項５】上記軸部分は、上記アーム部分から延長されて形成され、該軸部分が電話機本体を構成する上ケースと下ケースの間に挟まれて回転自在に支持されることを特徴とする請求項１に記載のハンドセット押えを有する電話機。
【請求項６】上記軸部分は更に直角に折り曲げられて延長され、上記アーム部分の回転角度を規制するストッパー部分を構成することを特徴とする請求項１に記載のハンドセット押えを有する電話機。
【請求項７】上記電話機本体は、携帯電話機の着信音を拡声する携帯電話用ページングアンプを内蔵することを特徴とする請求項１に記載のハンドセット押えを有する電話機。
【請求項８】上記電話機本体は、ハンドセットを介して携帯電話機による通話を可能にする携帯電話用ページングアンプを内蔵することを特徴とする請求項１に記載のハンドセット押えを有する電話機。
【０００１】
【発明の詳細な説明】
【発明の属する技術分野】
本発明は、電話機本体のハンドセット載置部分にハンドセットを強固に固定することができる電話機に関するものである。また本発明の電話機は、携帯電話機の着信音を拡声することができる携帯電話用ページングアンプを内蔵する電話機に関するものであり、更にはハンドセットを使用して携帯電話機により通話を可能にする携帯電話用ページングアンプを内蔵する電話機に関するものである。
【０００２】
【従来の技術】
電話機は通常、電話機本体とハンドセットから構成され、電話機本体内部に電話回線と接続する回線制御回路を備え、ハンドセットにマイクとスピーカを備えている。多くの場合、電話機本体は電話台や机等の安定した場所に載置され使用されるが、船舶、飛行機、自動車、電車等の移動体や工場、作業所のように十分な載置場所がない場合は、壁、柱や天井、更には斜めの柱等に取り付けざるを得ないことがある。また、船舶、飛行機、自動車、電車等のように振動、揺れが大きいところで使用する場合には電話機本体及びハンドセットを固定的に取り付ける必要がある。例えば、壁掛け電話機やインターフォン室内機では、電話機本体を壁に取り付け、ハンドセットのスピーカ側に形成したくびれ部分を電話機本体に引掛けて保持する構造が知られており、また自動車電話では電話機本体にハンドセット用凹部を形成して該凹部にハンドセットを嵌め込む構造が知られている。
【０００３】
【発明が解決しようとする課題】
上記引掛け構造、嵌め込み構造により、電話機を壁、柱に取付け、振動、揺れに対しても一応の満足は得られている。しかし天井やオーバーハングの斜め個所等には取り付けることができないし、大きな振動、揺れに対して信頼性がない。信頼性を高めるため引掛け強度、嵌め込み強度を大きくすると、取り外しが困難になり電話の使用が不便になる。
【０００４】
本発明は壁、柱は勿論、天井やオーバーハングの斜め個所等にも取り付けることができ、大きな振動、揺れに対して信頼性を高め、且つ着脱が容易なハンドセット押えを有する電話機を提供するものである。また、本発明は携帯電話用ページングアンプに使用して便利な電話機を提供するものである。携帯電話用ページングアンプは、海水、川水や雨水がかかるおそれがあったり、また作業の邪魔になるため携帯電話機を船内、室内に置き、携帯電話機の着信音が小さい場合、あるいは周囲音が大きい場合に着信音を聞き逃さないように拡声し、またハンドセットを使用しての通話を可能にするものである。
【０００５】
【課題を解決するための手段】
本発明の請求項１記載のハンドセット押えを有する電話機は、電話機本体とハンドセットからなる電話機において、上記電話機本体のハンドセット載置部分の一端部にハンドセット引掛け部分を形成し、且つ他端部にハンドセット押えを取付け、上記ハンドセット引掛け部分とハンドセット押えとで上記ハンドセットを固定することを特徴とする。この特徴により、ハンドセットは一端部をハンドセット引掛け部分により押さえられ、他端部をハンドセット押えにより押さえられるので、ハンドセットは強固に電話機本体に固定することができる。このため、電話機を壁、柱は勿論、天井やオーバーハングの斜め個所等にも取り付けてもハンドセットを安定に保持し、しかも大きな振動、揺れに対する信頼性を高め、且つ着脱を容易にすることができる。
【０００６】
本発明の請求項２記載のハンドセット押えを有する電話機は、上記ハンドセット引掛け部分は、ハンドセット接続コード側に、ハンドセット載置部分を構成する上ケースの立上り部分によって形成されることを特徴とする。この特徴により、ハンドセット引掛け部分が電話機本体のハンドセット載置部分を構成する上ケースと一体的に構成され、ハンドセット引掛け部分の強度を大きくすることができ、且つ樹脂成型により一体的構造にすることができ製造が容易になる。またハンドセット引掛け部分をハンドセット接続コード側に設けることによりハンドセット接続コードが手元側に位置することになり、ハンドセット接続コードのある側からハンドセットを着脱することになるので、ハンドセット接続コードが着脱操作の際に邪魔にならない。
【０００７】
本発明の請求項３記載のハンドセット押えを有する電話機は、上記ハンドセット引掛け部分は、ハンドセットを一部抱え込むオーバーハング部を有することを特徴とする。この特徴により、ハンドセット引掛け部分を中心としてハンドセットの先端側（ハンドセットのスピーカ側）を回転させる操作を容易にし、ハンドセット押えに挿入し、あるいは脱出することができる。そしてオーバーハング部によりハンドセットが脱落するのを防止する。
【０００８】
本発明の請求項４記載のハンドセット押えを有する電話機は、上記ハンドセット押えは、ハンドセット載置部分の下側に位置する軸部分と、ハンドセットの上方に位置する押え部分と、上記軸部分と押さえを連結するアーム部分とからなり、上記押え部分は上記軸部分を中心に上記アーム部分が回転することによりハンドセットの上方押え位置とハンドセットの外側取り外し位置に移動することを特徴とする。この特徴により、ハンドセット押えは軸部分を中心に回転してハンドセットの上方押え位置とハンドセットの外側取り外し位置を移動することができ、ハンドセット押えがハンドセットを確実に保持し、更に大きな振動、揺れに対する信頼性を高める。また取り出しと挿入を容易にする。またハンドセット押え部分、アーム部分、軸部分は鋼鉄製やステンレス製の棒を折り曲げて一体的に構成することができ、ハンドセット押えを容易に製造することができる。
【０００９】
本発明の請求項５記載のハンドセット押えを有する電話機は、上記軸部分は、上記アーム部分から延長されて形成され、該軸部分が電話機本体を構成する上ケースと下ケースの間に挟まれて回転自在に支持されることを特徴とする。この特徴により、軸部分を上ケースと下ケースの間に挟むことにより構成するから構造が簡単であり、組み立てが容易である。さらに特別な軸受け体を必要としないので、コストを低減できる。
【００１０】
本発明の請求項６記載のハンドセット押えを有する電話機は、上記軸部分は更に直角に折り曲がられて延長され、上記アーム部分の回転角度を規制するストッパー部分を構成することを特徴とする。この特徴により、ストッパーも上記ハンドセット押え、アーム、支点と一体的に鋼鉄製やステンレス製の棒を折り曲げて構成することができ、製造が容易になると共に組み立てが簡単になる。しかもハンドセット押えの強度を大きくすることができる。
【００１１】
本発明の請求項７記載のハンドセット押えを有する電話機は、上記電話機本体は、携帯電話機の着信音を拡声する携帯電話用ページングアンプを内蔵することを特徴とする。また、本発明の請求項８記載のハンドセット押えを有する電話機は、上記電話機本体は、ハンドセットを介して携帯電話機による通話を可能にする携帯電話用ページングアンプを内蔵することを特徴とする。この特徴により、本発明は携帯電話用ページングアンプを船舶、飛行機、自動車、電車等のように振動、揺れが大きいところで使用することを可能にし、利用範囲を拡大し、大きな振動、揺れに対する信頼性を高め、且つ着脱を容易にする。
【００１２】
【発明の実施の形態】
（実施例１）本発明の電話機本体６０は、図１に平面図、図２に正面図、図３に左側面図、図４に右側面図、図５に底面図を示すように、上ケース６１、下ケース６２、プリント基板６３、ハンドセット６４、ハンドセット押え６５からなる。上ケース６１は表面側にハンドセットの先端側（スピーカ側）凹部６６と、手元側（マイク側）凹部６７を上ケース６１の樹脂成型により形成し、ハンドセット載置部分６８を構成する。先端側凹部６６は比較的浅くその前方部分と両側部分を立上り部分６９によって囲まれ、ハンドセットの先端部厚さの約半分程度を覆う。手元側凹部６７はハンドセットの手元部を一部抱え込むようにオーバーハング部７０を有し、その後方部分と両側部分を立上り部分７１によって囲んでいる。
【００１３】
ハンドセットの手元側にモジュラージャックによるハンドセット接続口７２を備え、このハンドセット接続口７２に接続コード７３の先端に取付けたモジュラープラグが挿入され、電話機本体と接続される。接続コード７３ハンドセット６４の着脱に邪魔にならないよう立上り部分７１の中央付近に一部切り欠き７４を形成している。
【００１４】
先端側凹部６６と手元側凹部６７には電話機本体６０を壁、柱、天井等に取り付けるためのネジ穴７５、７６が形成されている。ネジ穴７５、７６は図８に上ケース６１の断面図を示すように、上ケース６１を樹脂成型して先端が下ケース６２の外側表面に達するボス７７，７８により構成される。
【００１５】
本発明の電話機本体は、電話回線の制御のためハンドセット６４がハンドセット載置位置に置かれたときオン、持ち上げられたときオフとなるフックスイッチ７９をハンドセット先端側に備えると共に、実施例２及び実施例３で説明する携帯電話用ページングアンプを実装したプリント基板６３を内蔵する。この携帯電話用ページングアンプの操作用として、ページングアンプの着信ベル音ボリューム８０、受話音ボリューム８１、放送音ボリューム８２、ページングアンプと放送アンプ切替えのための放送スイッチ８３を、電話機本体の左側に一列に並べて備えている。更にこの一列線上に電話機本体の電源ランプ８４を配置している。携帯用ページングアンプを内蔵する以外に、通常の電話回線制御回路を内蔵するものであってもよい。
【００１６】
図５に電話機本体の底面図を示すように、下ケース６２の接続コード側一部にコードケース用蓋８５を設けている。コードケース用蓋８５は上ケース６１の裏面側に形成したコードケース用ポケット８６を覆い電源コード、スピーカコード、入力コード８７の出入り口８８を形成すると共に、これらコードの一部を収納する。電源コード、スピーカコード、入力コード８７は下ケース６２に形成した切り欠き部８９と上ケースの底縁によって出入り口８８が形成され、電源コード、スピーカコード、入力コード８７は出入り口８８を通して電話機本体と接続される。
【００１７】
図４に示すように、上ケース６１の接続コード側に４Ｐモジュラージャック型ハンドセット接続口９１と６Ｐモジュラージャック型携帯電話接続口９２を形成している。上ケース６１にモジュラージャックの山部を形成し、下ケース６２にモジュラージャックの底部を形成することにより、上ケースと下ケースを組み立てたときに上記接続口９１、９２を完成する。接続口９１にハンドセット６４を接続する接続コード７３のモジュラープラグが挿入される。接続口９２に携帯電話機を接続するモジュラープラグが挿入される。
【００１８】
図８に上ケースの断面図、図９に裏面図を示すように、上ケース６１の裏面に形成したボス９３〜９９の上端面と、ボス７７、７８の段部上面が同一平面に合わせられており、プリント基板６３は、ボス９３〜９９とボス７７、７８の段部上面により一方の表面が支持される。また、図６、図７に示すように、下ケース６２の裏面に形成され、上ケースのボス９３〜９９とボス７７、７８に対向して対を成すボス１０１〜１０５とボス１０６、１１２及びボス１０７〜１１１もその上端面が同一平面に合わせられており、ボス１０１〜１１２により他方の面が支持されることにより、プリント基板６３は上ケースのボスと下ケースのボスに挟まれて上ケース６１と下ケース６２の間に取り付けられる。プリント基板６３の位置決めはネジ穴７５、７６を形成するボス７７、７８に嵌まる穴がプリント基板に形成されており、穴にボス７７、７８を挿入することにより行ない、ネジを締め付けて固定する。
【００１９】
下ケース６２のボス１０７〜１１０はボリューム８０〜８２とスイッチ８３に対向して設けられ、ボリューム８０〜８２とスイッチ８３に加えられる押力を受け止め、ボリューム８０〜８２とスイッチ８３、プリント基板６３、下ケース６２が変形したり、破壊されるのを防止する。
【００２０】
本発明の電話機は、ネジ穴７５、７６にネジを挿入して壁、柱、天井に取り付ける。壁、柱は斜め、オーバーハングの傾斜でもよい。ネジ穴７５、７６は上ケースを樹脂成型して下ケースの外側表面に達しているので、ネジは上ケースの樹脂成型体の強度まで締め付ける事ができる。またネジ穴７５、７６が下ケースの外側表面まで達していることにより、ネジ穴に入った水、水分、湿気はネジ穴を通して下ケースの外側に抜けてしまい、電話機本体内部に侵入する恐れがない。
【００２１】
ハンドセット押え６５は、図１０に示すようにハンドセット６４の上方に位置する押え部分１２０と、アーム部分１２１と、ハンドセット載置部分の下側に位置する軸部分１２２と、ストッパー部分１２３とからなる。ハンドセット押え６５はばね性やたわみ、まげ性のない材料、例えば鋼鉄製やステンレス製の棒を折り曲げて構成される。押え部分１２０に挿入される押えローラは横半分に分けられ、アーム部分１２１から離れる側にスピードナットが嵌められ、押えローラの抜け止めをする。軸部分１２２はハンドセット押え６５の回転中心となり、ハンドセット押え部分１２０をハンドセット６４の上方押え位置と、ハンドセットの外側取り外し位置に移動させる。
【００２２】
図１１に示すように軸部分１２２は上ケース６１の裏面に形成したボス９３と９４、９５と９６の間のリブ１２４、１２５の切り込みによって軸部分の右端側と、左端側の前後方向が支持され、リブ１２４、１２５の切り込みとプリント基板６３の間に挟まれて上下方向が支持されて、回転自在に支持される。そして、軸部分１２２は更に直角に折り曲げられてストッパー部分１２３がボス９９に達するまで延長され、ボス９９の内部に入れられた圧縮スプリング１２６により、押え部分１２０がハンドセット６４の上方に位置するように付勢される。一方、図１２に示すようにボス９９はストッパー部分１２３が入り込む溝１２７を有し、この溝１２７の長さがストッパー部分１２３の回転をハンドセットの外側取り外し位置にまでに制限する。ハンドセットの手元側回転中心から軸部分１２２の取り付け位置までの長さ、アーム部分１２１の長さ、回転角度およびハンドセットの先端側厚さ、ハンドセット押え部分１０があたるところのハンドセットの曲率、すべり等が、ハンドセット押え６５の上方押え位置と外側取り外し位置を決める。中でもハンドセットの手元側回転中心から軸部分１２２の取付位置までの長さ、アーム部分１２１の長さ、回転角度が重要要素で、次にハンドセットの先端側厚さ、ハンドセット押え部分１０があたるところのハンドセットの曲率、すべりが重要である。
【００２３】
本発明の電話機の各要素部分は以上のように構成され、次のように組み立てられる。先ず、上ケースの裏面側にボス９９の中にスプリング１２６を挿入し、ハンドセット押え６５の軸部分をリブ１２４、１２５の切り込みに嵌める。次に各部品が搭載されたプリント基板６３の穴にボス７７、７８を嵌めて位置合わせをし、ネジで固定する。そして、下ケース６２を上ケース６１に対して位置合わせをしながら、５個のネジを締め付け、コードケース用蓋８５を取り付けて完成する。最後に、接続コード７３のモジュラープラグを電話機本体とハンドセットのモジュラージャックにそれぞれ挿入して接続する。
【００２４】
ハンドセット６４を電話機本体の載置位置に設置するときは、上ケースの手元側凹部６７にハンドセットの手元側を挿入して、この手元側を中心にハンドセットの先端側を回転させ、先端側凹部６６にはめ込む。この時、ハンドセット押え６５がハンドセット先端部に当たるが、ハンドセット先端部でハンドセット押え部分１２０を押さえつけると、ハンドセット押え部分１２０が軸部分１２２を中心にして回転する。ハンドセット押え６５が軸部分１２２を中心にして回転するとき、ハンドセット押え部分１２０はハンドセット先端部に当たる位置からハンドセット外側取り外し位置に移動する。したがって、ハンドセット６４をハンドセット載置部分６８に載置することができる。すると、ハンドセット押え部分１２０は、スプリング１２６によってハンドセットの上方押え位置へ移動するように付勢されているから、ハンドセット６４は一端部を手元側凹部に嵌め込み、他端部をハンドセット押えで固定する。
【００２５】
ハンドセット６４を電話機本体から取り外すときは、ハンドセット手元側を中心にしてハンドセット先端側を回転するようにハンドセット押え６５の押え強さに抗して持ち上げると、ハンドセット押え部分１２０はハンドセット６４の上面を滑って軸部分１２２を中心にアーム部分１２１が回転し、ハンドセット外側取り外し位置へ移動するので、ハンドセット６４を取り外すことができる。ハンドセット６４を取り外した後、ハンドセット押え６５はスプリング１２６の付勢のため、上方押え位置に移動する。
【００２６】
（実施例２）本発明の電話機を携帯電話用ページングアンプに適用した場合を説明する。携帯電話機には「リモコン機能あり」の機種が使用され、図１３に示すように、携帯電話用ページングアンプを収納する電話機本体４１は、たとえば船室内（キャビン）や自動車、電車の室内のような室内４３の壁、柱、天井等に取り付けられる。携帯電話機１又は１ａも室内に置かれ、携帯電話機１又は１ａと電話機本体４１は、携帯電話機のイヤホン・マイクジャック２にプラグ８を挿入して接続される。電話機本体４１は接続線によって船、自動車、電車の上方位置のように室外或いは電話機本体４１の設置場所から離れた場所に設置されている外部スピーカ２４と接続される。
【００２７】
ここで、携帯電話機１は図１４に示すように、イヤホン・マイクジャック２を備え、このイヤホン・マイクジャック２に携帯電話用ページングアンプ３のコード４を、プラグ８を差し込むことにより携帯電話用ページングアンプ３と接続する。イヤホン・マイクジャック２はイヤホン端子１１、マイク端子１２、制御端子１３、グランド端子１４を有し、携帯電話用ページングアンプのイヤホン入力端子１５と、マイク出力端子１６と、制御端子１７と、アース端子１８をそれぞれ接続する。
【００２８】
携帯電話用ページングアンプのイヤホン入力端子１５は、フックスイッチ２０を介して着信音ボリューム２１に接続され、さらにアンプ２２の入力に接続される。アンプ２２の出力は出力端子２３を経て外部スピーカ２４に接続され、着信音及び放送音を拡声する。上記フックスイッチ２０は、ハンドセット２５が所定位置にあるときオン状態にあり、ハンドセット２５が操作され所定位置から外されたときオフ状態になる。すなわち、ハンドセット２５が電話機本体にかけられているときオン状態であり、持ち上げられたときオフ状態になる。
【００２９】
また、イヤホン入力端子１５はアンプ２６を介してハンドセット２５のスピーカに接続され携帯電話機の出力音声を増幅して聞くことができる。マイク出力端子１６は、放送スイッチ２７のオフ側端子２７ａを介してハンドセット２５のマイクに接続され、ハンドセット２５のマイクに入力された音声信号を携帯電話機１に送ることができる。放送スイッチ２７のオン側端子２７ｂは放送音量ボリューム２８に接続され、さらに、プリアンプ２９を経て前記アンプ２２の入力に加えられる。したがって、放送スイッチ２７がオン状態のとき、ハンドセットに加えられた音声信号はプリアンプ２９、アンプ２２で増幅され、外部スピーカ２４により拡声放送される。制御端子１７は、前記フックスイッチ２０と連動するスイッチ３０がタイマー３２を介して携帯電話用ページングアンプのアース３１に接続される。アース端子１８は、携帯電話用ページングアンプのアース３１に接続される。
【００３０】
本発明の実施例２は、以上のように構成されるので、ハンドセット２５が所定位置、電話機本体の載置位置に置かれ、放送スイッチ２７がオフ状態のとき、すなわち、通常状態のとき、携帯電話機１に電話がかかってくると、着信音は携帯電話機のイヤホン端子１１からイヤホン線５を介して携帯電話用ページングアンプ３のイヤホン入力端子１５に入力される。イヤホン入力端子１５はフックスイッチ２０を介して着信音ボリューム２１に接続されているので音量調整され、さらにアンプ２２で増幅され、スピーカ端子２３を経て外部スピーカ２４から着信音が図１３（ａ）に示すように拡声放送される。そして、拡声放送された着信音を聞いて、ハンドセット２５を電話機本体から持ち上げるようにすると、ハンドセット押え６５は軸部分を中心にアーム部分が回転しハンドセット押え部分が取り外し位置に移動して、取り外すことができる。ハンドセットを電話機本体から外すと、フックスイッチ２０がオフになり、イヤホン入力端子１５からアンプ２２への信号経路が遮断され、着信音の拡声放送が止まる。
【００３１】
同時にフックスイッチ２０のオフ動作によって、フックスイッチ２０に連動するスイッチ３０がオフになり、このオフ動作によってパルス発生器３２が約１秒間のパルスを発生する。この１秒間パルスが端子１７を介して携帯電話機１に供給され、携帯電話機のリモコン機能を作動させ、通話回線の接続を行う。通話回線の接続により、携帯電話機のイヤホン端子１１とマイク端子１２が、携帯電話用ページングアンプのイヤホン入力端子１５とマイク出力端子１６にそれぞれ接続され、イヤホン入力端子１５は増幅器２６を介してハンドセット２５のスピーカに接続され、マイク出力端子１６は放送スイッチ２７を介してハンドセット２５のマイクに接続されるので、前記した着信音の停止から通話状態への切り替えが自動的に行なわれ、ハンドセット２５を使用して図１３（ｂ）に示すように携帯電話機より通話をすることができる。なお、この実施例では携帯電話機の発信ボタンを押すことによっても通話を開始することができる。通話状態のときアンプ２６によって携帯電話機の出力音声を増幅しているので、携帯電話機の出力が小さい場合、周囲音が大きい場合にも聞き取ることができる。ハンドセットの出力音声が大きすぎるときは、受話音量ボリュームまたは携帯電話機の音声ボリュームによって調整することができる。
【００３２】
通話が終了したときは、ハンドセット２５を電話機本体の載置位置に置く（フックにかける）と、その動作によりスイッチ３０がオンになる。スイッチ３０がオンになると、（フックにかける）と、パルス発生器が約１秒間のパルスを発生する。このパルスが携帯電話機に供給されると、携帯電話機１はリモコン機能を作動させ、電話の通話回線を切断する。さらに、この実施例は、放送スイッチ２７をオン側端子２７ｂに切り替えると、ハンドセット２５の送話口に入力された音声は放送音量ボリューム２８、プリアンプ２９を経てアンプ２２で増幅された後、外部スピーカ２４より拡声放送することができる。拡声放送の終了は放送スイッチ２７をオフ状態に戻すことにより行なう。この拡声放送は電話の通話中でも放送スイッチ２７をオン側端子２７ｂに切り替えて行なうことが出来、このとき携帯電話機のマイク入力端子とは回路が切り離されているので、通話相手に放送内容を聞かれないですむ。
【００３３】
電話をかける場合、すなわち送信をする場合はハンドセットを持ち上げ携帯電話機の送信ボタン及びダイヤル操作によって通常通り行なうことができる。あるいはプラグ８を抜いて携帯電話機単独で送信を行なうことができる。
【００３４】
（実施例３）イヤホン・マイクジャック２ａがイヤホン兼制御端子１１ａと、マイク端子１２ａと、グランド端子１４ａからなる「リモコン機能あり」の携帯電話機１ａを図１５に示す。これら端子に対応して携帯電話用ページングアンプ３ａもイヤホン兼制御端子１５ａと、マイク端子１６ａと、アース端子１８ａを備え、イヤホン線５ａ、マイク線６ａ、グランド線９ａの３本線よりなるコード４ａのプラグ８ａをイヤホン・マイクジャック２ａに挿入して接続する。この実施例ではパルス発生器３２がイヤホン兼制御端子１５ａに接続される。その他の構成は実施例２と同様であり、その動作も同様であるので、説明を省略する。
【００３５】
【発明の効果】
本発明によれば、ハンドセットは一端部をハンドセット引掛け部分により押さえられ、他端部をハンドセット押えにより押さえられるので、ハンドセットは強固に電話機本体に固定することができる。このため、電話機を壁、柱は勿論、天井やオーバーハングの斜め個所等にも取り付けてもハンドセットを安定に保持し、しかも大きな振動、揺れに対する信頼性を高め、且つ着脱を容易にすることができる。
【００３６】
また、ハンドセット引掛け部分が電話機本体のハンドセット載置部分を構成する上ケースと一体的に構成され、ハンドセット引掛け部分の強度を大きくすることができ、且つ樹脂成型により一体的構造にすることができ製造が容易になる。またハンドセット引掛け部分をハンドセット接続コード側に設けることによりハンドセット接続コードが手元側に位置することになり、ハンドセット接続コードのある側からハンドセットを着脱することになるので、ハンドセット接続コードが着脱操作の際に邪魔にならない。
【００３７】
また、ハンドセット引掛け部分を中心としてハンドセットの先端側（ハンドセットのスピーカ側）を回転させる操作を容易にし、ハンドセット押えに挿入し、あるいは脱出することができる。そしてオーバーハング部によりハンドセットが脱落するのを防止する。
【００３８】
さらに、ハンドセット押えは軸部分を中心に回転してハンドセットの上方押え位置とハンドセットの外側取り外し位置を移動することができ、ハンドセット押えがハンドセットを確実に保持し、更に大きな振動、揺れに対する信頼性を高める。また取り出しと挿入を容易にする。またハンドセット押え部分、アーム部分、軸部分は鋼鉄製やステンレス製の棒を折り曲げて一体的に構成することができ、ハンドセット押えを容易に製造することができる。
【００３９】
また、軸部分を上ケースと下ケースの間に挟むことにより構成するから構造が簡単であり、組み立てが容易である。さらに特別な軸受け体を必要としないので、コストを低減できる。
【００４０】
また、ストッパーも上記ハンドセット押え、アーム、支点と一体的に鋼鉄製やステンレス製の棒を折り曲げて構成することができ、製造が容易になると共に組み立てが簡単になる。しかもハンドセット押えの強度を大きくすることができる。
【００４１】
その上、本発明は携帯電話用ページングアンプを船舶、飛行機、自動車、電車等のように振動、揺れが大きいところで使用することを可能にし、利用範囲を拡大し、大きな振動、揺れに対する信頼性を高め、且つ着脱を容易にする。
【図面の簡単な説明】
【図１】本発明の電話機の平面図を示す。
【図２】本発明の電話機の正面図を示す。
【図３】本発明の電話機の左側面図を示す。
【図４】本発明の電話機の右側面図を示す。
【図５】本発明の電話機の底面図を示す。
【図６】下ケースの裏面図を示す。
【図７】下ケースの断面図を示す。
【図８】上ケースの断面図を示す。
【図９】上ケースの裏面図を示す。
【図１０】ハンドセット押えの斜視図を示す。
【図１１】ボス９３、９４とリブ１２４付近の斜視図を示す。
【図１２】ボス９９の斜視図を示す。
【図１３】実施例２及び３の使用例を説明する図である。
【図１４】実施例２の回路図を示す。
【図１５】実施例３の回路図を示す。
【符号の説明】
６０ 電話機本体
６１ 上ケース
６２ 下ケース
６３ プリント基板
６４ ハンドセット
６５ ハンドセット押え
６６ 先端側凹部
６７ 手元側凹部
６８ ハンドセット載置部分